(57)【特許請求の範囲】
【請求項１】
押釦ハンドルを器体の表面に露出した状態で備え、当該押釦ハンドルの操作により器体内の接点の切換が行われるとともに、器体内に発光体を備え、当該発光体からの光を器体表面に設けられた透光窓から出射させるようにしたスイッチ装置において、
前記器体内に設けられた基板と、
前記基板上に実装される前記発光体としてのＬＥＤと、
前記基板上に被着されて前記ＬＥＤを封止する封止部材と、
前記封止部材を覆うように前記基板上に被着されて前記ＬＥＤから出射された光を前記透光窓に配光させる配光部材と、
を備え、
前記封止部材を半球状に形成するとともに、
前記配光部材の前記封止部材に対向する面を、当該封止部材側に凸となるようにし、
前記配光部材の前記透光窓側の面を、当該透光窓側に凸となるようにし、且つ
前記配光部材の周面の少なくとも一部を、前記透光窓側の面から逸れた光を全反射させて当該透光窓側の面に指向させる反射面とするとともに、
前記配光部材の前記封止部材に対向する周面を円筒状に形成し、当該周面で屈折した光が前記反射面に全反射する角度で入射するように構成したことを特徴とするスイッチ装置。
【請求項２】
前記封止部材を熱硬化性樹脂とし、前記配光部材を熱可塑性樹脂としたことを特徴とする請求項１に記載のスイッチ装置。
【請求項３】
前記透光窓側の面の曲率半径を前記封止部材に対向する面の曲率半径より大きくしたことを特徴とする請求項１または２に記載のスイッチ装置。
【請求項４】
前記配光部材と前記基板とをロケートピンを用いて位置決めするように構成したことを特徴とする請求項１〜３のうちいずれか一つに記載のスイッチ装置。
【発明の詳細な説明】
【技術分野】
【０００１】
本発明は、器体内部に発光体を備え、当該発光体の光を器体表面に設けた透光窓から出射するようにしたスイッチ装置に関する。
【背景技術】
【０００２】
従来、埋込型の配線器具等に用いられるスイッチとして、器体の表面に露出する押釦ハンドルの動作に応じて器体内の接点の切換が行われるスイッチ本体と、当該スイッチ本体の前面側に設けられて押釦ハンドルを操作する操作ハンドルと、を備え、さらに、上記器体の内部に発光体を設け、当該発光体の光を操作ハンドルに設けた表示窓から外に出射させて、スイッチの設置位置や、スイッチの通電状態を示すのに用いるようにしたものが知られている（例えば特許文献１）。
【特許文献１】特開２００１−１８４９９１号公報
【発明の開示】
【発明が解決しようとする課題】
【０００３】
上記従来のスイッチでは、発光体として、ネオンランプや砲弾型のＬＥＤ（Light Emitting Diode：発光ダイオード）が使用されている。これら発光体は、器体内部の基板に実装される。
【０００４】
ところが、ネオンランプは、一般的に鉛入りガラスが使用されている場合が多く、昨今の鉛の使用制限に適さなくなってきている。
【０００５】
また、砲弾型のＬＥＤは実装作業の効率が悪く、製造コストが高くなってしまうという問題があり、一方、表面実装型のＬＥＤは、一般に反射部材を持たない分、砲弾型のＬＥＤに比べて輝度が低めになり、表示灯として十分な明るさを得るのが難しい場合が多いという問題がある。
【０００６】
そこで、本発明は、内部に表示灯用の発光体を備えたスイッチ装置において、より低いコストで所要の明るさの表示灯を構成しうるスイッチ装置を得ることを目的とする。
【課題を解決するための手段】
【０００７】
請求項１の発明にあっては、押釦ハンドルを器体の表面に露出した状態で備え、当該押釦ハンドルの操作により器体内の接点の切換が行われるとともに、器体内に発光体を備え、当該発光体からの光を器体表面に設けられた透光窓から出射させるようにしたスイッチ装置において、上記器体内に設けられた基板と、上記基板上に実装される上記発光体としてのＬＥＤと、上記基板上に被着されて上記ＬＥＤを封止する封止部材と、上記封止部材を覆うように上記基板上に被着されて上記ＬＥＤから出射された光を上記透光窓に配光させる配光部材と、を備え、上記封止部材を半球状に形成するとともに、上記配光部材の上記封止部材に対向する面を、当該封止部材側に凸となるようにし、上記配光部材の上記透光窓側の面を、当該透光窓側に凸となるようにし、且つ上記配光部材の周面の少なくとも一部を、上記透光窓側の面から逸れた光を全反射させて当該透光窓側の面に指向させる反射面とするとともに、上記配光部材の上記封止部材に対向する周面を円筒状に形成し、当該周面で屈折した光が上記反射面に全反射する角度で入射するように構成したことを特徴とする。
【０００８】
請求項２の発明にあっては、上記封止部材を熱硬化性樹脂とし、上記配光部材を熱可塑性樹脂としたことを特徴とする。
【００１１】
請求項３の発明にあっては、上記透光窓側の面の曲率半径を上記封止部材に対向する面の曲率半径より大きくしたことを特徴とする。
【００１４】
請求項４の発明にあっては、上記配光部材と上記基板とをロケートピンを用いて位置決めするように構成したことを特徴とする。
【発明の効果】
【００１７】
請求項１の発明によれば、ＬＥＤを封止部材によって封止することでＬＥＤの取付状態をより確実に維持することができる上、当該ＬＥＤからの光を配光部材を用いて透光窓に向けて導光することで表示灯としての明るさを確保しやすくなる。しかも、かかる構成を低コストで実現することができる。
【００１８】
さらに、配光部材によって光の集束性を高めることができる分、より輝度の小さいＬＥＤを使用できるようになるため、この点でも低コスト化を実現できるとともに、消費電力を低減できるという利点もある。また、封止部材を半球状としたため、ＬＥＤからの光が封止部材の外面にほぼ垂直に当たって、当該外面で殆ど反射することなく透過するようになり、表示灯としての明るさを確保しやすくなる。また、上記配光部材のうち上記封止部材に対向する面と上記透光窓側の面とで挟まれる領域をレンズとして機能させ、ＬＥＤからの光を透光窓に向けて集束させることができるので、表示灯としての明るさを確保しやすくなる。また、上記配光部材の周面の少なくとも一部を反射面として利用することができるため、透光窓側への光の集束性を高めて、表示灯としての明るさを確保しやすくなる上、別途反射板を設けずに済む分、安価に得ることができる。また、光を上記封止部材に対向する周面において上記反射面に向けて屈折させることができるため、当該反射面で光を全反射させることによる効果をより確実に得ることができる。
【００１９】
請求項２の発明によれば、封止部材を熱硬化性樹脂としたため、当該封止部材によるＬＥＤの封止状態が、基板に部品（当該ＬＥＤ以外の部品も含む）を半田実装する場合等の熱によって損なわれるのを抑制することができる。また、配光部材を、一般的には熱硬化性樹脂より安価な熱可塑性樹脂としたため、当該熱による影響を受けにくい構成を、より安価に得ることができる。
【００２２】
請求項３の発明によれば、上記透光窓側の面では曲率半径を相対的に大きくすることで光の全反射を抑制することができる。一方、当該透光窓側の面での曲率半径に対して上記封止部材に対向する面での曲率半径を相対的に小さくすることで、光を基板の面直方向に指向させやすくなる。よって、これら双方の効果によって、透光窓側への光の集束性を高めて表示灯としての明るさを確保しやすくなる。
【００２５】
請求項４の発明によれば、ロケートピンを用いた比較的簡素な構成によって、低コストで配光部材の配置精度を向上させることができる。
【発明を実施するための最良の形態】
【００２８】
以下、本発明の実施形態について図面を参照しながら詳細に説明する。
【００２９】
（第１実施形態）図１は、本実施形態にかかるスイッチ装置を含むピアノハンドル式スイッチの外観図（正面図）、図２は、ピアノハンドル式スイッチの分解斜視図、図３は、スイッチ装置の器体内部の平面図、図４は、スイッチ装置の器体内に設けられる基板と当該基板上に実装されたＬＥＤ、封止部材、および配光部材を示す斜視図、図５は、基板および当該基板上に実装されたＬＥＤ、封止部材、および配光部材の縦断面図（基板に垂直でありかつＬＥＤの中心を通る断面図）である。
【００３０】
本実施形態にかかるピアノハンドル式スイッチ１は、取付枠３をベースとして各部品がアセンブリされたものである。取付枠３は、壁（図示せず）等の造営面や、当該造営面に埋込配設される埋込ボックス（図示せず）などに固定される。
【００３１】
この取付枠３は、例えば金属導体を略矩形枠状に成形したものであり、当該取付枠３の長手方向両端部には、埋込ボックスに取付枠３を締結するためのボックスねじ（図示せず）が挿通される長孔３ａや、取付枠３を造営面に直付けするためのねじ（図示せず）が挿通されるねじ挿通孔３ｂ、ならびにプレート枠４を取付枠３に取り付ける取付ねじ９用の取付ねじ孔３ｃ等が設けられている。スイッチ装置２は、この取付枠３の内側開口部に挿入された状態で、取付枠３に係止される。
【００３２】
このスイッチ装置２は、箱状のベース２ａと、当該ベース２ａの開口部を塞ぐように設けられるカバー２ｂとからなる器体を備え、全体的に略直方体状の外観を呈している。そして、カバー２ｂの前面２ｃには矩形状の開口部２ｄが形成されており、この開口部２ｄから押釦ハンドル２ｅが露出している。この押釦ハンドル２ｅは、器体に揺動可能に支持されており、当該押釦ハンドル２ｅの操作により、器体内の接点の切り換えが行われるようになっている。
【００３３】
また、このカバー２ｂの前面２ｃには矩形状の透光窓８が形成されており、器体内部に設けられたＬＥＤ１２，１２（図３参照）からの光を受け容れて、ピアノハンドル５の表示窓７に向けて透光するようになっている。なお、本実施形態では、透光窓８と表示窓７とが丁度重なりあうように配置されるが、透光窓８と表示窓７との位置がずれる場合には、ピアノハンドル５の裏面に導光用のプリズムを配置するなどして対応すればよい。
【００３４】
プレート枠４は、例えば合成樹脂を略矩形枠状に成形したものであり、当該プレート枠４の長手方向両端部には、取付ねじ９を挿通するねじ挿通孔４ａが穿設されている。また、このプレート枠４の表面の四隅には、略矩形状に開口する係止孔４ｂが形成されており、この係止孔４ｂに化粧プレート６の裏面に突設される係止爪（図示せず）を挿入して係止することで、化粧プレート６をプレート枠４に取り付けるようになっている。
【００３５】
化粧プレート６は、例えば合成樹脂を略矩形枠状に成形したものであり、ピアノハンドル５の周縁を囲む枠として機能する。すなわち、その中央部には矩形状の開口部６ａが形成されており、当該開口部６ａを埋めるようにピアノハンドル５が配置される。
【００３６】
ピアノハンドル５は、手指等によって押圧操作され、当該押圧操作を押釦ハンドル２ｅに伝える操作部として機能する。本実施形態では、ピアノハンドル５は、スイッチ装置２のカバー２ｂの前面ｃを覆う状態で、当該スイッチ装置２に支持されており、押釦ハンドル２ｅと連動して揺動するように構成されている。なお、通常、このピアノハンドル５は、スイッチ装置２に一対一で対応して設けられる。よって、複数個（例えば３個）のスイッチ装置２が取付枠３の長手方向に並べて装備される場合には、当該取付枠３の長手方向に沿って分割された同数（同３個）の分割型ピアノハンドルが装備されることになる。
【００３７】
図３に示すように、器体のベース２ａの内側の凹部には、導体の配線パターン１１が形成された基板１０が取り付けられており、本実施形態では、この基板１０の表面上に、発光体としてのＬＥＤ（すなわちＬＥＤのベアチップ）１２，１２が実装されている。ＬＥＤ１２としては、種々のものを採用することができるが、一例として、ＩｎＧａＮ（窒化インジウム・ガリウム）緑ＬＥＤ等を用いることができる。
【００３８】
各ＬＥＤ１２，１２には、例えば、ピアノハンドル式スイッチ１（のピアノハンドル５）の設置位置を示すべくスイッチオフ時に発光させたり、スイッチがオンされたことを示すべくスイッチオン時に発光させたりする等、それぞれ別の機能が割り当てられる。したがって、一方を赤とし他方を緑とする等、これらＬＥＤ１２，１２の発色を異ならせるのが好適である。
【００３９】
なお、以上の構成では、これらＬＥＤ１２，１２の直上部に透光窓８を配置するのが好適である。
【００４０】
ここで、本実施形態では、図４および図５に示すように、各ＬＥＤ１２上に、封止部材１３と配光部材１４とが設けられている。
【００４１】
封止部材１３は、各ＬＥＤ１２を覆うように基板１０上に被着されている。具体的には、ＬＥＤ１２を基板１０上に例えば銀ペーストを用いて接着するとともに適宜ワイヤボンディングして実装した後、当該ＬＥＤ１２上に透明な熱硬化性樹脂をモールドして、当該封止部材１３を得る。この封止部材１３の外面１３ａは、ＬＥＤ１２（好適にはその出射面の中心）を中心とする半球状に形成されている。
【００４２】
一方、配光部材１４は、封止部材１３を覆うように基板１０上に被着される。本実施形態では、配光部材１４を透明な熱可塑性樹脂によって予め所定形状に成形しておき、接着等することによって基板１０の表面上に取り付ける。
【００４３】
すなわち、配光部材１４の内部には、被着状態での基板１０側に開口する有底略円柱状の空洞部１５が形成されており、この空洞部１５の中心に封止部材１３を収容するように当該配光部材１４を基板１０の表面上に被せて被着してある。ここで、配光部材１４の被着工程は、当該配光部材１４が基板１０への部品実装時に生じる熱等の影響を受けないよう、部品を実装した後に行うのが好適である。なお、空洞部１５は空気で充たされた空気層となる。
【００４４】
また、この配光部材１４は、ＬＥＤ１２の中心を通って基板１０の表面に垂直な軸を中心軸とする回転体状に形成されており、基板１０からその表面の法線方向に沿って離間するにつれて徐々に外径が拡がるテーパ状に傾斜した外周面（周面）１４ｄを備えるとともに、透光窓８側に臨む上面１４ｂは、基板１０から離間する方向に凸（すなわち透光窓８側に凸）の略球面状に形成されている。
【００４５】
さらに、図５に示すように、封止部材１３および基板１０の表面と対向する天井面１４ａは、封止部材１３側（すなわち基板１０側）に凸の略球面状に形成される一方、空洞部１５の周壁面をなす内周面（周面）１４ｃは、基板１０の表面と略垂直に立設された円筒面としてある。
【００４６】
本実施形態では、以上の構成によって、ＬＥＤ１２から出射された光を、基板１０の表面に略垂直な方向に配光している。
【００４７】
すなわち、ＬＥＤ１２から図５の上方に出射され、封止部材１３および空洞部１５を通って天井面１４ａに入射した光は、この天井面１４ａで配光部材１４の上記中心軸側に屈折して上面１４ｂに向かい、さらにこの上面１４ｂで屈折して、基板１０の表面と略垂直な方向の光となる。かかる光路は、配光部材１４の天井面１４ａと上面１４ｂとの間の領域が凸レンズとして機能することによって得られるものである。
【００４８】
また、ＬＥＤ１２から図５の斜め上方に出射され、封止部材１３および空洞部１５を通って内周面１４ｃに入射した光は、空洞部１５の空気層と配光部材１４の樹脂材料との屈折率に応じて当該内周面１４ｃで屈折して外周面１４ｄに向かい、この外周面１４ｄで図５の上方に全反射されて上面１４ｂに向かい、この上面１４ｂで屈折して、基板１０の表面と略垂直な方向の光となる。かかる光路は、内周面１４ｃを設けたことで、上面１４ｂから側方にそれる光を外周面１４ｄに指向させるとともに、当該外周面１４ｄを基板１０の表面に対して例えば略５０°の角度で傾斜配置することで、内周面１４ｃからの光を外周面１４ｄにその法線方向に対して臨界角より広い角度で入射させるようにし、以て、当該外周面１４ｄで内周面１４ｃから到達した光が全反射するようにしたことによって得られるものである。
【００４９】
また、ＬＥＤ１２から基板１０の表面に沿って内周面１４ｃにほぼ垂直に入射した光は、当該内周面１４ｃをほぼ直進し、外周面１４ｄで上記と同様に図５の上方に全反射されて上面１４ｂに向かい、この上面１４ｂで屈折して、基板１０の表面と略垂直な方向の光となる。
【００５０】
このとき、本実施形態では、封止部材１３の外面１３ａが半球状に形成されているため、ＬＥＤ１２から各方向に出射された光は、封止部材１３の外面１３ａにほぼ垂直な角度で入射されることになり、封止部材１３の樹脂材料と空洞部１５内の空気層との屈折率の関係から、当該外面１３ａをほとんど屈折されることなく直進することになる。
【００５１】
また、本実施形態では、図５に示すように、上面１４ｂの曲率半径を天井面１４ａの曲率半径より大きくしてある。これは、上面１４ｂでは曲率半径を相対的に大きくすることで光の全反射を抑制するとともに、上面１４ｂでの曲率半径に対して天井面１４ａでの曲率半径を相対的に小さくすることで当該天井面１４ａで光を基板１０表面の面直方向に指向させやすくするためである。
【００５２】
以上の本実施形態によれば、ＬＥＤ１２を封止部材１３によって封止することでＬＥＤ１２の取付状態をより確実に維持することができる上、当該ＬＥＤ１２からの光を配光部材１４を用いて透光窓８に向けて導光することで表示灯としての明るさを確保しやすくなる。しかも、かかる構成を低コストで実現することができる。
【００５３】
また、配光部材１４を設けた分、より輝度の低いＬＥＤ１２やより駆動電流の小さいＬＥＤ１２を使用することが可能となり、消費電力の低減や、ＬＥＤ１２の低コスト化を実現できるという利点もある。
【００５４】
そして、封止部材１３と配光部材１４とを別部材としたため、それぞれ封止・配光に適した部材を用いることができ、各性能を向上させやすくなる。また、例えば、スイッチの種々の仕様（スイッチ装置を配置できるスペース等）に対しては、配光部材１４のみの交換でより容易に対応することができるし、さらに、ＬＥＤ１２のベアチップの光量や色に応じて適した配光部材１４を選択して用いることで、表示灯としての光量や色のばらつきを少なくすることができるという利点もある。
【００５５】
また、本実施形態によれば、封止部材１３を熱硬化性樹脂としたため、当該封止部材１３によるＬＥＤ１２の封止状態が、基板１０に部品（当該ＬＥＤ１２以外の部品も含む）を半田実装する場合等の熱によって損なわれるのを抑制することができる。また、配光部材１４を、一般的には熱硬化性樹脂より安価な熱可塑性樹脂としたため、当該熱による影響を受けにくい構成を、より安価に得ることができる。
【００５６】
また、本実施形態によれば、封止部材１３を半球状としたため、ＬＥＤ１２からの光が封止部材１３の外面１３ａにほぼ垂直に当たって、当該外面１３ａで殆ど反射することなく透過するようになり、表示灯としての明るさを確保しやすくなる。
【００５７】
また、本実施形態によれば、配光部材１４のうち封止部材１３に対向する天井面１４ａと透光窓８側の上面１４ｂとで挟まれる領域を凸レンズとして機能させ、ＬＥＤ１２からの光を透光窓８に向けて集束させることができるので、表示灯としての明るさを確保しやすくなる。
【００５８】
また、本実施形態によれば、透光窓８側の上面１４ｂでは曲率半径を相対的に大きくすることで光の全反射を抑制することができる。一方、当該透光窓８側の上面１４ｂでの曲率半径に対して封止部材１３に対向する天井面１４ａでの曲率半径を相対的に小さくすることで、光を基板１０の面直方向に指向させやすくなる。よって、これら双方の効果によって、透光窓８側への光の集束性を高めて表示灯としての明るさを確保しやすくなる。
【００５９】
また、本実施形態によれば、配光部材１４の外周面１４ｄを反射面として利用することができるため、透光窓８側への光の集束性を高めて、表示灯としての明るさを確保しやすくなる上、別途反射板を設けずに済む分、安価に得ることができる。
【００６０】
さらに、本実施形態によれば、配光部材１４の内周面１４ｃで光を屈折させることで上面１４ｂから側方に逸れた光を外周面１４ｄに集めて全反射による効果をより確実に得ることができる。
【００６１】
（第２実施形態）図６は、本実施形態にかかるスイッチ装置の器体内に設けられる基板と当該基板上に実装されたＬＥＤおよび配光部材を示す斜視図、図７は、基板および当該基板上に実装されたＬＥＤおよび配光部材の縦断面図（基板に垂直でありかつＬＥＤの中心を通る断面図）である。なお、本実施形態にかかるスイッチ装置は、上記第１実施形態にかかるスイッチ装置と同様の構成要素を備えている。よって、以下では、それら同様の構成要素には共通の符号を付与するとともに、重複する説明を省略する。
【００６２】
上記第１実施形態では、封止部材１３と配光部材１４とをそれぞれ別個の部品として設けたが、本実施形態では、封止部材と配光部材とを一体化した封止配光部材１６を設け、配向する部材によって直接封止するようにしている。
【００６３】
かかる構成では、熱によって封止状態が損なわれるのを抑制するために、封止配光部材１６を熱硬化性樹脂とするのが好適である。
【００６４】
また、適宜な形状の型（分割型）を用いて基板１０上に樹脂モールドすることが可能であるし、予め適宜な形状に成形したものを基板１０上に接着などして被着することも可能である。なお、後者の場合には、封止配光部材１６の基板１０との当接面（底面）に、当該基板１０の表面上に実装されたＬＥＤ１２を丁度収容する凹部を設ける。
【００６５】
また、この封止配光部材１６も、ＬＥＤ１２の中心を通って基板１０の表面に垂直な軸を中心軸とする回転体状に形成されており、上記第１実施形態のテーパ状の外周面１４ｄと同様のテーパ状の傾斜側面としての外周面（周面）１６ｃ、および上記第１実施形態の凸面状の上面１４ｂと類似する出射面としての凸面状の上面１６ａと、を有するが、本実施形態では、それら外周面１６ｃと上面１６ａとの間に、基板１０の表面と略垂直な垂直側面としての円柱面１６ｂを備えている。
【００６６】
したがって、図７に示すように、ＬＥＤ１２から図７の上方に出射された光は、直接上面１６ａで屈折されて外に出射される一方、ＬＥＤ１２から図７の側方や斜め上方に出射された光は外周面１６ｃおよび／または円柱面１６ｂで全反射された後、上面１６ａから出射されることになる。
【００６７】
以上の本実施形態によれば、上記第１実施形態と同様の効果が得られる上、配光部材と封止部材とを一つの封止配光部材として一体成形した分、部品点数が減り、製造コストをより一層低減することが可能となる。
【００６８】
また、本実施形態によれば、傾斜側面としての外周面１６ｃと垂直側面としての円柱面１６ｂとで光を全反射させて出射面としての上面１６ａに適切な角度で指向させることができるため、上面１６ｄから逸れた光も透光窓８側へ指向させて光の集束性を高めることができ、表示灯としての明るさを確保しやすくなる上、別途反射板を設けずに済む分、安価に得ることができるという利点がある。
【００６９】
また、垂直側面を円柱面１６ｂとしたことで、封止配光部材１６あるいはそのモールド型を比較的容易に成形することができる分、製造コストをより一層低減することが可能となる。
【００７０】
（第３実施形態）図８は、本実施形態にかかるスイッチ装置の器体内に設けられる基板と当該基板上に実装されたＬＥＤおよび配光部材を示す斜視図、図９は、基板および当該基板上に実装されたＬＥＤおよび配光部材の縦断面図（基板に垂直でありかつＬＥＤの中心を通る断面図）である。なお、本実施形態にかかるスイッチ装置は、上記第１，第２実施形態にかかるスイッチ装置と同様の構成要素を備えている。よって、以下では、それら同様の構成要素には共通の符号を付与するとともに、重複する説明を省略する。
【００７１】
本実施形態でも、上記第２実施形態と同様に、配光部材として機能する封止配光部材１７によって直接ＬＥＤ１２を封止するようにしている。
【００７２】
また、本実施形態では、ロケートピン１７ｆを用いて封止配光部材１７を基板１０に対して位置決めしている。すなわち、ロケートピン１７ｆを封止配光部材１７の底面（基板１０の表面と当接する面）に突設する一方、基板１０の表面には当該ロケートピン１７ｆを嵌挿する孔１８を形成しておき、これらの嵌合によって封止配光部材１７を基板１０の所定位置に精度良く設置できるようにしている。よって、本実施形態では、封止配光部材１７を予め所定形状に成形しておき、基板１０上の所定位置に接着するなどして被着させる形式が採用される。
【００７３】
さらに、本実施形態では、上記第１，第２実施形態のように封止配光部材１７を回転体状に形成するのではなく、基板１０に平行な断面が略矩形状となるように形成し、以て、当該封止配光部材１７から出射される光が、略矩形状に集束するようにしてある。具体的には、最も基板１０に近い領域を、台形状の四つの側面１７ｄを備えた逆四角錐台状（基板１０に近い側が細く基板１０から遠くなるにつれて太くなる四角錐台状）に形成し、その上部を、図９の斜め上方に向けて相互に拡がる一対の傾斜平面１７ｃ、当該傾斜平面１７ｃの上部に連接されて相互に対向する一対の垂直平面１７ｂ、側面１７ｄの上部で一対の傾斜平面１７ｃ間と一対の垂直平面１７ｂ間とに亘って形成されて相互に対向する一対の垂直平面１７ｅ、および円柱面状の上面１７ａを備える形状としてある。かかる構成では、垂直平面１７ｂ、傾斜平面１７ｃ、側面１７ｄ、および垂直平面１７ｅはいずれも反射面となり、これら各面で反射された光が、上面１７ａを経由して出射される。よって本実施形態では、上面１７ａが出射面に相当し、垂直平面１７ｂ，１７ｅが垂直側面に相当し、傾斜平面１７ｃおよび側面１７ｄが傾斜側面に相当する。
【００７４】
かかる形状の封止配光部材１７から出射された光の基板１０と平行な断面は、図９の左右方向に長く紙面方向に短い矩形状に集束されることになる。よって、透光窓８が矩形状である場合、光の集束領域を当該透光窓８の形状に対応する適宜な矩形状に形成することで、透光窓８における輝度むら（透光窓８内の各領域における輝度ばらつき）を抑制することができる。
【００７５】
以上の本実施形態によれば、上記第１，第２実施形態と同様の効果が得られる上、ロケートピン１７ｆを用いた比較的簡素な構成によって、低コストで封止配光部材１７の配置精度を向上させることができる。このとき、本実施形態のように基板１０に孔１８を設けると、封止配光部材１７をスライドコアを用いることなく製造することができるようになるため、更なる低コスト化を図ることができるという利点がある。
【００７６】
また、上述したように、封止配光部材１７の基板１０と平行な断面形状を矩形状として、ＬＥＤ１２から出射された光を当該矩形断面を成す外面で適宜に全反射させることで、封止配光部材１７からの出射光を矩形断面状に集束することができるので、矩形状の透光窓８に対して輝度むらを抑制して、表示灯の視認性を向上させるとともに美観の向上を図ることができるという利点もある。
【００７７】
以上、本発明の好適な実施形態について説明したが、本発明は上記実施形態には限定されず、種々の変形が可能である。
【００７８】
例えば、配光部材の形状や材質等は、使用するＬＥＤの特性や、スイッチ装置の構成、表示灯としての用途等に応じて適宜に変更可能であるし、基板の法線方向に対して傾斜する方向に向けて光を出射させるように構成することも可能である。
【００７９】
また、ロケートピンは配光部材とは別体としてもよいし、基板上に突設したピンを配光部材に設けた孔に嵌挿するようにしてもよいし、上記第１実施形態のように封止部材と配光部材とを別部材として構成した場合についても、当該配光部材をロケートピンを用いて位置決めすることが可能である。
【００８０】
また、上記例示した構成のピアノハンドル式スイッチ以外のスイッチにも適用可能であるのはもちろんである。
【図面の簡単な説明】
【００８１】
【図１】本実施形態にかかるスイッチ装置を含むピアノハンドル式スイッチの外観図（正面図）。
【図２】本発明の実施形態にかかるピアノハンドル式スイッチの分解斜視図。
【図３】本発明の第１実施形態にかかるスイッチ装置の器体内部の平面図。
【図４】本発明の第１実施形態にかかるスイッチ装置の器体内に設けられる基板と当該基板上に実装されたＬＥＤ、封止部材、および配光部材を示す斜視図。
【図５】本発明の第１実施形態にかかるスイッチ装置の基板および当該基板上に実装されたＬＥＤ、封止部材、および配光部材の縦断面図（基板に垂直でありかつＬＥＤの中心を通る断面図）。
【図６】本発明の第２実施形態にかかるスイッチ装置の器体内に設けられる基板と当該基板上に実装されたＬＥＤおよび配光部材を示す斜視図。
【図７】本発明の第２実施形態にかかるスイッチ装置の基板および当該基板上に実装されたＬＥＤおよび配光部材の縦断面図（基板に垂直でありかつＬＥＤの中心を通る断面図）。
【図８】本発明の第３実施形態にかかるスイッチ装置の器体内に設けられる基板と当該基板上に実装されたＬＥＤおよび配光部材を示す斜視図。
【図９】本発明の第３実施形態にかかる基板および当該基板上に実装されたＬＥＤおよび配光部材の縦断面図（基板に垂直でありかつＬＥＤの中心を通る断面図）。
【符号の説明】
【００８２】
２  スイッチ装置
２ｅ  押釦ハンドル
２ａ  ベース（器体）
２ｂ  カバー（器体）
８  透光窓
１０  基板
１２  ＬＥＤ
１３  封止部材
１４  配光部材
１４ａ  天井面（封止部材に対向する面）
１４ｂ  上面（透光窓側の面）
１４ｃ  内周面（周面）
１４ｄ  外周面（周面；反射面）
１６，１７  封止配光部材
１６ａ，１７ａ  上面（出射面）
１６ｂ  円柱面（反射面；垂直側面）
１６ｃ  外周面（周面；反射面；傾斜側面）
１７ｂ  垂直平面（反射面；垂直側面）
１７ｃ  傾斜平面（反射面；傾斜側面）
１７ｄ  側面（反射面；傾斜側面）
１７ｅ  垂直平面（反射面；垂直側面）
１７ｆ  ロケートピン
【図１】
0004816910.tif 000002
【図２】
0004816910.tif 000003
【図３】
0004816910.tif 000004
【図４】
0004816910.tif 000005
【図５】
0004816910.tif 000006
【図６】
0004816910.tif 000007
【図７】
0004816910.tif 000008
【図８】
0004816910.tif 000009
【図９】
0004816910.tif 000010